(57)【要約】【課題】郵便物を途切れることなく一定の間隔で送り出すことにより処理速度を向上させる。【解決手段】郵便物が搬送されてくる搬送経路の一通送り出し部５０よりも上流側に設けられ、搬送経路上を搬送されてくる郵便物を一時蓄積して排出する複数のバッファフィーダ４０ａ〜４０ｃとを有し、バッファフィーダ４０ａ〜４０ｃのそれぞれは、バッファフィーダ４０ａ〜４０ｃに蓄積された郵便物の量を検知する量検知スイッチを有し、そのバッファフィーダ４０ａ〜４０ｃよりも郵便物の搬送方向下流側のバッファフィーダ４０ａ〜４０ｃの量検知スイッチにて検知された郵便物の量が一定となるように、そのバッファフィーダ４０ａ〜４０ｃに蓄積された郵便物を排出する。【選択図】図２
2011050864.tif 000002
【特許請求の範囲】
【請求項１】
供給されてくる郵便物を一通ずつ送り出す一通送り出し部を有してなる郵便物自動送り出し装置において、
供給されてくる郵便物を搬送する搬送経路と、
前記搬送経路の前記一通送り出し部よりも上流側に設けられ、該搬送経路上を搬送されてくる郵便物を一時蓄積して排出する複数のバッファ部とを有し、
前記複数のバッファ部は、当該バッファ部に蓄積された郵便物の量を検知する検知手段を有し、当該バッファ部よりも前記郵便物の搬送方向下流側のバッファ部の検知手段にて検知された郵便物の量が一定となるように、当該バッファ部に蓄積された郵便物を排出する郵便物自動送り出し装置。
【請求項２】
請求項１に記載の郵便物自動送り出し装置において、
前記搬送経路は、前記検知手段にて検知された郵便物の量が一定となるような搬送速度で前記郵便物を搬送する郵便物自動送り出し装置。
【発明の詳細な説明】
【技術分野】
【０００１】
本発明は、郵便物自動送り出し装置に関する。
【背景技術】
【０００２】
近年、郵便機械の高速化が進んでいる。郵便物を選別する装置として、複数の貯蔵ポケットを備え、この貯蔵ポケット下を郵便物容器が搬送され、郵便物容器に郵便物が収納、搬送されていく技術が、例えば、特許文献１に開示されている。この技術においては、郵便物容器が貯蔵ポケットの下を通る時間帯に合わせて郵便物容器の搬送速度が設定されている。
【先行技術文献】
【特許文献】
【０００３】
【特許文献１】特表２００６―５１７４６４号公報
【発明の概要】
【発明が解決しようとする課題】
【０００４】
上述したような郵便物選別装置をはじめ、郵便物を一通ずつ送り出す郵便物自動送り出し装置においては、処理する対象郵便物が多種多様であることや、一通送り出し部に常に一定量の郵便物をバッファすることが困難である等の理由から、郵便物を途切れることなく一定の間隔で送り出すことができず、それにより、処理速度が十分に向上していないという問題点がある。
【０００５】
本発明は、上述したような技術が有する問題点に鑑みてなされたものであって、郵便物を一通ずつ送り出す郵便物自動送り出し装置において、郵便物を途切れることなく一定の間隔で送り出すことにより処理速度を向上させることができる郵便物自動送り出し装置を提供することを目的とする。
【課題を解決するための手段】
【０００６】
上記目的を達成するために本発明は、
供給されてくる郵便物を一通ずつ送り出す一通送り出し部を有してなる郵便物自動送り出し装置において、
供給されてくる郵便物を搬送する搬送経路と、
前記搬送経路の前記一通送り出し部よりも上流側に設けられ、該搬送経路上を搬送されてくる郵便物を一時蓄積して排出する複数のバッファ部とを有し、
前記複数のバッファ部は、当該バッファ部に蓄積された郵便物の量を検知する検知手段を有し、当該バッファ部よりも前記郵便物の搬送方向下流側のバッファ部の検知手段にて検知された郵便物の量が一定となるように、当該バッファ部に蓄積された郵便物を排出する。
【発明の効果】
【０００７】
以上説明したように本発明は、搬送経路の一通送り出し部よりも上流側に複数のバッファ部が設けられ、この複数のバッファ部において、そのバッファ部よりも下流側のバッファ部に蓄積される郵便物の量が一定となるように、そのバッファ部に蓄積された郵便物が排出される構成としたため、郵便物を途切れることなく一定の間隔で送り出すことにより処理速度を向上させることができる。
【図面の簡単な説明】
【０００８】
【図１】本発明の郵便物自動送り出し装置の全体構成を示す概略図である。
【図２】図１に示した郵便物自動送り出し装置の詳細な構成を示す図である。
【図３】図１及び図２に示した郵便物自動送り出し装置の動作を説明するための図である。
【図４】図１及び図２に示した郵便物自動送り出し装置における効果を説明するための図である。
【発明を実施するための形態】
【０００９】
以下に、本発明の実施の形態について図面を参照して説明する。
【００１０】
図１は、本発明の郵便物自動送り出し装置の全体構成を示す概略図であり、図２は、図１に示した郵便物自動送り出し装置の詳細な構成を示す図である。
【００１１】
本形態の郵便物自動送り出し装置は、図１及び図２に示すように、郵便物を供給して搬送する搬送経路となる供給コンベア１０と、厚さ選別部であるドラム２０と、定形郵便物受け入れ口であるアクセプタ３０と、供給コンベア１０によって搬送されてくる郵便物を一時蓄積して排出するバッファ部となる３つのバッファフィーダ４０ａ〜４０ｃと、供給されてくる郵便物を一通ずつ送り出す一通送り出し部５０とから構成され、アクセプタ３０と最上流のバッファフィーダ４０ａとの間、複数のバッファフィーダ４０ａ〜４０ｃ間、最下流のバッファフィーダ４０ｃと一通送り出し部５０との間はチャネル形状の搬送ルートで連結されている。バッファフィーダ４０ａ〜４０ｃのそれぞれには、バッファフィーダ４０ａ〜４０ｃに蓄積された郵便物の量を検知する検知手段となる量検知スイッチ（不図示）が設けられている。そして、バッファフィーダ４０ａは、バッファフィーダ４０ｂの量検知スイッチにて検知された郵便物の量が一定となるように、バッファフィーダ４０ａに蓄積された郵便物を排出し、また、バッファフィーダ４０ｂは、バッファフィーダ４０ｃの量検知スイッチにて検知された郵便物の量が一定となるように、バッファフィーダ４０ｂに蓄積された郵便物を排出する。また、供給コンベア１０は、バッファフィーダ４０ａ〜４０ｃに設けられた量検知スイッチにて検知された郵便物の量が一定となるような搬送速度で郵便物を搬送する。
【００１２】
このように本形態は、郵便物を一時蓄積するバッファフィーダ４０ａ〜４０ｃに蓄積された郵便物の量を検知し、その検知結果を上流側のバッファフィーダ４０ａ〜４０ｃへフィードバックすることにより、常に一定量の郵便物を供給するものであり、予備のバッファフィーダ４０ａ〜４０ｃを従来よりも増やすことにより、常に一定量の郵便物が一通送り出し部５０に供給されるように、各バッファフィーダ４０ａ〜４０ｃにおける郵便物の蓄積量を上流側のバッファフィーダ４０ａ〜４０ｃにフィードバック制御することで改善を図るものである。
【００１３】
このように、従来の郵便物自動選別取りそろえ押印機と比較し、郵便物を搬送するチャネル形状の搬送ルートの距離を伸ばすことにより、郵便物を蓄積する量を増やした。更に、搬送経路上に配置されるバッファデバイスの数を増やすことにより、郵便物の搬送における途切れを減少させることとした。この搬送経路は、バッファデバイスに配置される量検知スイッチにより、郵便物の量を検知し、加減速させることが可能である。
【００１４】
以下に、上記のように構成された郵便物自動送り出し装置の動作について説明する。
【００１５】
図３は、図１及び図２に示した郵便物自動送り出し装置の動作を説明するための図である。
【００１６】
図１及び図２に示した郵便物自動送り出し装置においては、図３に示すように、一通送り出し部５０において郵便物の厚さ情報が測定され（Ｅ）、バッファフィーダ４０ａ〜４０ｃにフィードバックされ、バッファフィーダ４０ａ〜４０ｃのそれぞれにおいて一時蓄積された郵便物の排出速度が制御される。また、バッファフィーダ４０ａ〜４０ｃ間においても、下流側のバッファフィーダ４０ａ〜４０ｃにおける郵便物の蓄積量が上流側のバッファフィーダ４０ａ〜４０ｃにフィードバックされ、バッファフィーダ４０ａ〜４０ｃのそれぞれにおいて一時蓄積された郵便物の排出速度が制御される（Ｃ）。
【００１７】
また、一通送り出し部５０における郵便物の厚さ情報やバッファフィーダ４０ａ〜４０ｃにおける郵便物の蓄積量は、アクセプタ３０にもフィードバックされ、アクセプタ３０にて郵便物の受け入れ動作が行われる（Ｄ）。また、一通送り出し部５０における郵便物の厚さ情報やバッファフィーダ４０ａ〜４０ｃにおける郵便物の蓄積量は、ドラム２０にもフィードバックされ、ドラム速度が制御される（Ｂ）。さらに、一通送り出し部５０における郵便物の厚さ情報やバッファフィーダ４０ａ〜４０ｃにおける郵便物の蓄積量は、供給コンベア１０にフィードバックされ、郵便物の搬送速度が制御される（Ａ）。
【００１８】
このフィードバックを繰り返すことにより、供給コンベア１０における郵便物の搬送速度と、ドラム２０における郵便物の選別処理と、アクセプタ３０における郵便物の受け入れ処理と、バッファフィーダ４０ａ〜４０ｃに一時蓄積された郵便物の排出処理とが、一通送り出し部５０における厚さ情報が常に一定になるように制御される。
【００１９】
図４は、図１及び図２に示した郵便物自動送り出し装置における効果を説明するための図である。
【００２０】
図４に示すように、これまでチャネルルートやバッファ部で郵便物のバッファ量が一定でなかったことにより、処理速度が上がらなかったが、本形態において上述したようなフィードバック制御を取り入れることにより、チャネルルートやバッファ部での郵便物の途切れを無くすことができる。そして、フィードバック制御を取り入れることにより、一通送り出し部５０から送り出す処理速度を増加することが可能となる。
【符号の説明】
【００２１】
１０    供給コンベア
２０    ドラム
３０    アクセプタ
４０ａ〜４０ｃ    バッファフィーダ
５０    一通送り出し部
【図１】
2011050864.tif 000003
【図２】
2011050864.tif 000004
【図３】
2011050864.tif 000005
【図４】
2011050864.tif 000006